(57)【要約】【課題】  通気性と拭きローラの視認性を高めること、及び洗浄水供給と拭きローラの取付、取り外しの容易化を図れるようにすること。【解決手段】  吸込具本体１に、吸込風路９から独立させてローラ収納室１１を設け、ローラ収納室内に拭きローラ体１０を設け、さらにローラ収納室の頂面に、吹放ち部１１ａを設けて、汚れ具合を掃除中でも目視で確認できるようにするとともに、拭きローラ体への給水のタイミングの判断をし易くする。さらに、掃除終了後の吸込具本体の保管状態においても、吹放ち部の開放効果により通気性を良くして、拭きローラ体の乾燥性を高め、雑菌の繁殖が抑えられ、ローラ収納室で悪臭が発生するのを抑制できるようにする。【選択図】        図１
2005065887.tif 000002
【特許請求の範囲】
【請求項１】
吸込具本体に、吸込風路とは独立させてローラ収納室を設け、ローラ収納室内に拭きローラ体を設けた電気掃除機用吸込具において、
前記ローラ収納室の頂面に、吹放ち部を設けたことを特徴とする電気掃除機用吸込具。
【請求項２】
吹放ち部を、風路を挟んで左右に分割して設けたことを特徴とする請求項１記載の電気掃除機用吸込具。
【請求項３】
平面的に見て拭きローラ体の軸受部が隠蔽されるように吹放ち部の平面形状が決定されてなることを特徴とする請求項１又は請求項２記載の電気掃除機用吸込具。
【請求項４】
平面的に見て拭きローラ体の軸受部まで露出するように吹放ち部が設定されていることを特徴とする請求項１又は請求項２記載の電気掃除機用吸込具。
【請求項５】
ローラ収納室のローラ支持部の一方を、ロック手段を有し吸込具本体に開閉自在にヒンジ結合された側面ケースから構成したことを特徴とする請求項１乃至請求項４のいずれかに記載の電気掃除機用吸込具。
【請求項６】
拭きローラ体の一端に、出没自在な突起を設けたことを特徴とする請求項１乃至請求項４のいずれかに記載の電気掃除機用吸込具。
【発明の詳細な説明】
【技術分野】
【０００１】
本発明は、拭き機能を有する電気掃除機用吸込具に関するものである。
【背景技術】
【０００２】
従来のこの種の電気掃除機用吸込具は、掃除機本体内に収納されているブロワの吸込力により、掃除をすべき床面にあるごみ、汚物などを吸込む機能と、吸込具本体に設置された拭きローラにより、水拭き掃除が行える機能とを備えている。吸込具本体には、拭きローラの前側からごみ、汚物などが吸い込まれるように、吸込口が一体に圧出成形されているとともに、吸込風路とは独立させてローラ収納室が設けられ、ローラ収納室内に拭きローラが配置されている。拭きローラは、吸込具本体を前進移動させつつ停止して床を水拭き掃除する機能を有している（例えば特許文献１）。
【０００３】
このようなものにおいて、掃除機本体内のブロワを動作させ、吸込具本体を掃除すべき床面に密着させつつ前進移動させると、吸込口を通して床面のごみ、汚物などが吸い込まれる。これらの吸込まれたごみや汚物などは、連結ダクトを通して掃除機本体の集塵室内の集塵袋に収集される。またこの時、拭きローラにより、掃除をすべき床面に水拭き掃除も行なうことができて、きれいに拭けるようになっている。
【０００４】
【特許文献１】実開平６−３６５５０号公報
【発明の開示】
【発明が解決しようとする課題】
【０００５】
しかしながら、従来の拭き機能を有する電気掃除機用吸込具においては、ローラ収納室が吸込具本体になかば密閉空間状に形成されているので、例えば掃除中に汚れた拭きローラの汚れ具合や拭きローラに含浸される洗浄水不足状態などを確認するには、掃除作業を中断して吸込具本体を裏返すことで確認しなくてはならず、拭きローラの交換のタイミングが判断しづらく、視認性の向上が望まれていた。
【０００６】
また、ローラ収納室の開口部が少なく、通気性が悪いため、掃除終了後、拭きローラを洗浄して、乾ききらないうちにローラ収納室に戻した場合、拭きローラやローラ収納室などの悪臭の原因になるという難点があった。
【０００７】
また、吸込風路内への洗浄水の浸入を防ぎつつ拭きローラに洗浄水を供給するために、拭きローラを取り外す必要があったり、複雑な洗浄水供給系を構築する必要があった。さらに、洗浄水供給系内に洗浄水供給タンクが設置されている場合には、洗浄水供給タンク内の水が腐敗し易く異臭を放つなど新たな問題が発生しており、ローラ収納室の湿気対策と併せて洗浄水供給系のこまめな管理が必要であった。さらにまた、拭きローラの取付、取り外しの容易化が求められていた。
【０００８】
本発明の技術的課題は、通気性と拭きローラの視認性を高めること、及び洗浄水供給と拭きローラの取付、取り外しの容易化を図れるようにすることにある。
【課題を解決するための手段】
【０００９】
本発明に係る電気掃除機用吸込具は、下記の構成からなるものである。すなわち、吸込具本体に、吸込風路から独立させてローラ収納室を設け、ローラ収納室内に拭きローラ体を設けた電気掃除機用吸込具において、ローラ収納室の頂面に、吹放ち部を設けたものである。
【発明の効果】
【００１０】
本発明に係る電気掃除機用吸込具においては、ローラ収納室の頂面に設けた吹放ち部により、拭きローラ体の視認性が高まり、汚れ具合を掃除中でも目視で確認できるようになる。
また、吹放ち部より拭きローラ体を直接指で触れることができるので、拭きローラ体の保水程度を確認することができ、拭きローラ体への給水のタイミングが判断し易くなる。  さらに、掃除終了後の吸込具本体の保管状態においても、吹放ち部の開放効果により通気性が良くなって拭きローラ体の乾燥性が高まり、雑菌の繁殖が抑えられ、ローラ収納室で悪臭が発生するのを抑制することができる。
また、吹放ち部で拭きローラ体が露出しているので、吸込具本体より拭きローラ体を着脱させることなく、拭きローラ体に洗浄水を直接供給することができる。
【発明を実施するための最良の形態】
【００１１】
実施の形態１．
図１乃至図９はいずれも本発明の請求項１，２，３，５に係る電気掃除機用吸込具を示すもので、図１はその吸込具本体の上面図、図２はその吸込具本体の底面図、図３はそのローラ収納室のローラ支持部の一方を形成する側面ケースを開いた状態で示す吸込具本体の底面図、図４はその吸込具本体の側面側からみた要部断面図、図５はその吸込具本体の側面図、図６は図５のＡ−Ａ線矢視断面図、図７はその吸込具本体の正面側からみた拭きローラ体軸線に沿う縦断面図、図８はその吸込具本体の外観を吹放ち部より拭きローラ体を直接指で触れている状態で示す斜視図、図９はその吸込具本体の外観を拭きローラ体に吹放ち部から直接給水させている状態で示す斜視図である。
【００１２】
この実施の形態１の電気掃除機用吸込具は、吸込具本体１が、上ケース３と下ケース４とからなり、これら上下ケース３，４が図示しないネジなどにより一体に結合されている。吸込具本体１の片側端部には、内端に突起１９ａを有しツマミ部材１８を回動させることでロック手段となる係止片１８ａの吸込具本体１への係合、解除操作を行え、これにより施錠、解錠される開閉自在な側面ケース１９が配置され、上ケース３と下ケース４によって一体に枢止されている。吸込具本体１の後部中央には内部が吸込風路２ａとなる連結管２が回転自在に装着され、図示しない電気掃除機本体の吸引側に延長パイプ及び可撓性ホースを介して接続されるようになっている。さらに、上ケース３と下ケース４の間には、連結管２に連なる吸込風路９が設けられ、吸込風路９の先端が吸込口８として形成されている。下ケース下面の吸込口８の後方には、ごみと空気を吸込口８にガイドするブレード７が隙間無く配設されている。
【００１３】
また、下ケース４には、吸込風路９から独立するローラ収納室１１が形成されており、ローラ収納室１１内に床面などを拭くための拭きローラ体１０が着脱可能に収容されている。このようにローラ収納室１１を吸込風路９から独立させることで、例えば拭きローラ体１０に水分が含まれるときなど、吸込具本体１を図示しない乾式の電気掃除機本体に接続した場合においても乾式電気掃除機本体の吸引部に水分が侵入することがなく利用することができる。
【００１４】
また、ローラ収納室１１の頂面には、吸込風路９を中央にしてこれを挟むように左右に分割させて上方外部空間に開放する吹放ち部１１ａ，１１ａが設けられ、拭きローラ体１０が天面側にも露出した状態にて構成されている。また、吹放ち部１１ａ，１１ａは、平面的に見て拭きローラ体１０の軸受部が隠蔽されるようにその平面形状が決定されている。
【００１５】
また、下ケース４の前部左右両端部および後部中央部には、吸込具本体１を前後にスムーズに移動可能とするためと、吸込具本体１と床面との距離を一定に保つことを目的に前車輪５，５および後車輪６が設けられている。
【００１６】
拭きローラ体１０は、主に外周に拭きローラ１６を巻き付けた中芯部材１５からなり、例えば拭きローラ１６として起毛布などを用いれば、乾拭き機能を発揮させることができ、さらに拭きローラ１６として軟質の高吸水性スポンジなどを用いれば、拭きローラ１６に保水させるで水拭き機能を発揮させることも可能である。このように、拭きローラ体１０は、拭きローラ１６の材質を変えることにより、種々の利用が可能である。
また、拭きローラ体１０は、ローラ収納室１１内から取り外すことにより、洗浄を行えるようになっている。
【００１７】
中芯部材１５の一端には、中心軸上に配置されて中芯部材端面から突出する矩形突起１４ａを備えた軸部材１４ｂからなるホルダ部材１４が内嵌合し、ワンウェイクラッチ機能を持つベアリング（以下、ワンウェイベアリングという）１２を介し一体化して取り付けられている。
また、ホルダ部材１４の軸部材１４ｂには、ワンウェイベアリング１２を水、粉塵などからシールするためのオイルシール１３が挿着されている。
【００１８】
一方、下ケース４におけるローラ収納室１１の反側面ケース側の側壁部位には、ホルダ部材１４の矩形突起１４ａが密嵌合可能な矩形凹部４ａが設けられており、拭きローラ体１０はホルダ部材１４の矩形突起１４ａが矩形凹部４ａ内に挿入されることで、この部位での回転を阻止され、ワンウェイベアリング１２が許容する方向へのみ回転するようになっている。
【００１９】
中芯部材１５の他端には、キャップ部材１７がその開口を外向きにして固着されており、キャップ部材１７の開口内に側面ケース１９の突起１９ａが挿入されることで、この部位で拭きローラ体１０が回転自在に支持されるようになっている。
【００２０】
すなわち、ワンウェイベアリング１２の一方向回転性軸受け作用により、吸込具本体１の前進時には拭きローラ体１０が回転を停止し、拭き機能を満足させることができ、後退時には拭きローラ体１０が回転して、拭きローラ１６の床面との摺接面を切り替えることができるようになっている。
【００２１】
次に、この実施の形態１の電気掃除機用吸込具の動作について説明する。吸込具本体１が接続された図示しない電気掃除機の吸引作用により塵埃は吸込具本体１の吸込口８から図中に矢印Ｖで示すように吸込風路９、連結管吸込風路２ａを通り図示しない電気掃除機本体の集塵室に格納される。その際、吸込具本体１は床面上を前進、後退とを繰り返すことにより床面の掃除を行うが、吸込具本体１の前進時には電気掃除機の吸引作用により塵埃を吸い取るとともに、ローラ収納室１１内の拭きローラ体１０がワンウェイベアリング１２の一方向回転性軸受け作用により回転が抑制され、拭き機能を得ることができる。また、吸込具本体１の後退時にも電気掃除機の吸引作用により塵埃を吸い取るとともに、拭きローラ体１０がワンウェイベアリング１２の一方向回転性軸受け作用により回転運動することで、拭きローラ体１０は後退のたびに回転し、拭き面が一ヶ所で摺接することがない。本動作中にはローラ収納室１１の頂面に設けられた吹放ち部１１ａから拭きローラ体１０の汚れ具合を目視で確認することができ、さらに図８の如く吹放ち部１１ａより拭きローラ体１０を直接指で触れることで、拭きローラ体１０の保水程度を確認することができる。なお拭きローラ体１０の着脱はツマミ部材１８を回動させることにより側面ケース１９が開閉することで着脱させることができる。
【００２２】
このように、実施の形態１の電気掃除機用吸込具によれば、掃除機の吸引作用と合わせて吸込具本体１の前進時には拭きローラ体１０の回転を停止させることにより拭き掃除を行うことができ、吸込具本体１の後退時には拭きローラ体１０が回転することで拭き面が切り替わる。
【００２３】
また、ローラ収納部１１の頂面に設けられた吹放ち部１１ａにより拭きローラ体１０の視認性が高まり、汚れ具合を掃除中でも目視で確認できるようになる。
【００２４】
また、吹放ち部１１ａより拭きローラ体１０を直接指で触れることができるので、拭きローラ体１０の保水程度を確認することができ、拭きローラ体１０への給水のタイミングが判断しやすくなる。
【００２５】
また、掃除終了後の吸込具本体１の保管状態においても、吹放ち部１１ａの開放効果により拭きローラ体１０の乾燥性が高まることで、雑菌の繁殖が抑えられ、ローラ収納室１１で悪臭が発生するのを抑制することができる。
【００２６】
また、吸込具本体１の水洗い後の乾燥時には、吹放ち部１１ａによって換気性が向上し、乾燥性が高まることにより、吸込具本体１の内部への残水が少なくなり、水切れがよくなる。
【００２７】
また、吹放ち部１１ａ，１１ａを吸込風路９を挟んで左右に分割して設けているので、重量バランスの設定が容易で、重心位置を中央部にもってくることができ、かつ軽量化が図れる。
【００２８】
また、拭きローラ体１０の両端支持部が隠蔽され天面より露出していないため、例えば吸込具本体１を上下の狭い隙間などにおいて使用する際に拭きローラ体１０がすきまに挟み込まれることがなく、拭きローラ体１０を保護することができる。
【００２９】
また、吹放ち部１１ａによって拭きローラ体１０が露出しているので、吸込具本体１より拭きローラ体１０を着脱させることなく、図９の如く拭きローラ体１０に洗浄水２２を直接供給することができる。
【００３０】
また、ローラ収納室１１のローラ支持部の一方を、ロック手段となる係止片１８ａを有し吸込具本体１に開閉自在にヒンジ結合された側面ケース１９から構成しているので、吸込具本体１への拭きローラ体１０の着脱が容易で、かつ拭きローラ体１０を確実に支持することができる。
【００３１】
実施の形態２．
図１０は本発明の請求項１，２，４，５に係る電気掃除機用吸込具の吸込具本体の正面側からみた拭きローラ体軸線に沿う縦断面図であり、図中、前述の実施の形態１のものと同一部分には同一符号を付し、その説明は省略する。
【００３２】
この実施の形態２の電気掃除機用吸込具は、ローラ収納室１１の頂面に吸込風路９を中央にしてこれを挟むように左右に分割させて上方外部空間に開放する吹放ち部１１ｂ，１１ｂを設けて、拭きローラ体１０が天面側にも露出するように構成するとともに、吹放ち部１１ｂ，１１ｂが、平面的に見て拭きローラ体１０の軸受部まで露出するように設定されている点に特徴を有しており、それ以外の構成は前述の実施の形態１のものと同様である。
【００３３】
この実施の形態２の電気掃除機用吸込具のように、ローラ体１０の軸受部まで露出するように吹放ち部１１ｂ，１１ｂを拡げることで、前述の実施の形態１のものと同様の効果、つまりＡ吸込具本体１の前進時に拭き掃除を行い、吸込具本体１の後退時に拭き面を切り替える効果、Ｂ吹放ち部１１ｂにより拭きローラ体１０の視認性が高まり、汚れ具合を掃除中でも目視で確認できる効果、Ｃ吹放ち部１１ｂより拭きローラ体１０を直接指で触れることができて、拭きローラ体１０の保水程度を確認することができ、拭きローラ体１０への給水のタイミングが判断しやすくなる効果、Ｄ拭きローラ体１０の乾燥性が高まり、雑菌の繁殖が抑えられ、ローラ収納室１１で悪臭が発生するのを抑制する効果、Ｅ吹放ち部１１ｂによって換気性が向上し、乾燥性が高まることにより、吸込具本体１の内部への残水が少なくなり、水切れがよくなる効果、Ｆ重量バランスの設定が容易で、重心位置を中央部にもってくることができ、軽量化が図れる効果、Ｇ吸込具本体１より拭きローラ体１０を着脱させることなく、拭きローラ体１０に洗浄水を直接供給することができる効果、に加えてＨ吹放ち部１１ｂの開放効果がより高まり、これによって拭きローラ体１０の乾燥性が一層高まり、悪臭がローラ収納室１１で発生するのを抑制する効果が高まるという利点がある。
【００３４】
実施の形態３．
図１１はいずれも本発明の請求項１，２，３，６に係る電気掃除機用吸込具の拭きローラ体が吸込具本体に取り付けられた状態を正面側から示す拭きローラ体軸線に沿う縦断面図、図１２はその拭きローラ体が吸込具本体から取り外される途中の状態を正面側から示す拭きローラ体軸線に沿う縦断面図、図１３はその拭きローラ体が取り外される途中の状態の吸込具本体の外観を示す正面図、図１４はその拭きローラ体が取り付けられる途中の状態の吸込具本体の外観を示す正面図であり、各図中、前述の実施の形態１のものと同一部分には同一符号を付し、その説明は省略する。
【００３５】
この実施の形態３の電気掃除機用吸込具は、拭きローラ体１０の着脱を、拭きローラ体１０を直接押し込むまたは押し出すことにより行えるようにようにした点に特徴を有している。すなわち、拭きローラ体１０には、その中芯部材１５の一端に、ホルダ部材１４がワンウェイベアリング１２を介し一体化して取り付けられているとともに、その中芯部材１５の他端に、キャップ部材１７Ａがその開口を外向きにして固着されている。ここまでの構成は、前述の実施の形態１のものと基本的に同じである。ここでは、さらにキャップ部材１７Ａの開口内に挿入されて出没自在な円形突起２０を設けるとともに、円形突起２０の内端面とキャップ部材１７Ａの底面との間に円形突起２０を常時突出方向に付勢するコイルばね２１を配設している。なお、円形突起２０は内端側が拡径する段軸状に形成されているとともに、これが摺動するキャップ部材１７Ａの開口部内面が円形突起２０の段軸形状に合わせて段筒状に形成され、これらが互いの弾性力を利用して結合されるようになっている。そして、結合後は、互いの段部が当接することで、円形突起２０のキャップ部材１７Ａからの突出量が規制されるとともに、円形突起２０のキャップ部材１７Ａからの脱落が防止されるようになっている。
【００３６】
一方、下ケース４におけるローラ収納室１１の反矩形凹部側の側壁には、拭きローラ体１０側の円形突起２０を回動自在に支持する円形凹部４ｂが設けられている。なお、円形突起２０のキャップ部材１７Ａからの突出量と円形突起２０を付勢するコイルばね２１の弾性力は、円形突起２０が円形凹部４ｂと確実に係合でき、かつ使用者が着脱のために拭きローラ体１０を径方向へ押しやり、例えば円形突起２０を円形凹部４ｂのエッジへ押し付けた場合に、円形凹部４ｂ内に容易に退出させ得る突出量および弾性力に設定されている。それ以外の構成は前述の実施の形態１のものと同様である。
【００３７】
次に、この実施の形態３の電気掃除機用吸込具の動作について説明するが、その集塵動作および拭きローラ体１０による拭き掃除の動作は前述の実施の形態１と同じであるため説明を省略し、ここでは下ケース４のローラ収納室１１に対する拭きローラ体１０の着脱動作を中心に説明する。まず、拭きローラ体１０を取り外すには、拭きローラ体装着状態（図１１）からローラ体１０の円形突起２０側を直接下方に押しやる。これにより、円形突起２０が円形凹部４ｂのエッジへ押し付けられ、円形突起２０がコイルばね２１の弾性力に抗して円形凹部４ｂ内に退出させられつつ、ローラ収納室１１の側壁をスライドする（図１２）。そして、図１３及び図１４のように円形突起２０がローラ収納室１１の側壁エリアから外れたらローラ収納室１１より取り外す。このとき、円形突起２０はコイルばね２１の弾性力により元の突出状態に復帰する。
【００３８】
また、拭きローラ体１０をローラ収納室１１に戻すには、まずホルダ部材１４の矩形突起１４ａをローラ収納室１１の側壁の矩形凹部４ａに挿入し、次いで拭きローラ体１０の円形突起２０側を、円形突起２０がローラ収納室１１内の円形凹部４ｂ内に挿入して係合されるまで押し込む。すなわち、拭きローラ体１０の着脱は、いずれもワンタッチで行われる。
【００３９】
このように、実施の形態３の電気掃除機用吸込具によれば、拭きローラ体１０の一端に出没自在な円形突起２０を設けたので、既述した実施の形態１のものと同様のＡ〜Ｇの効果に加えて、拭きローラ体１０の着脱をワンタッチで行うことができるという利点がある。
【図面の簡単な説明】
【００４０】
【図１】本発明の実施の形態１に係る電気掃除機用吸込具の吸込具本体の上面図である。
【図２】実施の形態１に係る電気掃除機用吸込具の吸込具本体の底面図である。
【図３】実施の形態１に係る電気掃除機用吸込具のローラ収納室のローラ支持部の一方を形成する側面ケースを開いた状態で示す吸込具本体の底面図である。
【図４】実施の形態１に係る電気掃除機用吸込具の吸込具本体の側面側からみた要部断面図である。
【図５】実施の形態１に係る電気掃除機用吸込具の吸込具本体の側面図である。
【図６】図５のＡ−Ａ線矢視断面図である。
【図７】実施の形態１に係る電気掃除機用吸込具の吸込具本体の正面側からみた拭きローラ体軸線に沿う縦断面図である。
【図８】実施の形態１に係る電気掃除機用吸込具の吸込具本体の外観を吹放ち部より拭きローラ体を直接指で触れている状態で示す斜視図である。
【図９】実施の形態１に係る電気掃除機用吸込具の吸込具本体の外観を拭きローラ体に吹放ち部から直接給水させている状態で示す斜視図である。
【図１０】本発明の実施の形態２に係る電気掃除機用吸込具の吸込具本体の正面側からみた拭きローラ体軸線に沿う縦断面図である。
【図１１】本発明の実施の形態３に係る電気掃除機用吸込具の拭きローラ体が吸込具本体に取り付けられた状態を正面側から示す拭きローラ体軸線に沿う縦断面図である。
【図１２】実施の形態３に係る電気掃除機用吸込具の拭きローラ体が吸込具本体から取り外される途中の状態を正面側から示す拭きローラ体軸線に沿う縦断面図である。
【図１３】実施の形態３に係る電気掃除機用吸込具の拭きローラ体が取り外される途中の状態の吸込具本体の外観を示す正面図である。
【図１４】実施の形態３に係る電気掃除機用吸込具の拭きローラ体が取り付けられる途中の状態の吸込具本体の外観を示す正面図である。
【符号の説明】
【００４１】
１  吸込具本体、４ａ  矩形凹部（軸受部）、９  吸込風路、１０  拭きローラ体、１１  ローラ収納室、１１ａ  吹放ち部、１８ａ  係止片（ロック手段）、１９  側面ケース、１９ａ  突起（軸受部）、２０  円形突起（突起）。
【図１】
2005065887.tif 000003
【図２】
2005065887.tif 000004
【図３】
2005065887.tif 000005
【図４】
2005065887.tif 000006
【図５】
2005065887.tif 000007
【図６】
2005065887.tif 000008
【図７】
2005065887.tif 000009
【図８】
2005065887.tif 000010
【図９】
2005065887.tif 000011
【図１０】
2005065887.tif 000012
【図１１】
2005065887.tif 000013
【図１２】
2005065887.tif 000014
【図１３】
2005065887.tif 000015
【図１４】
2005065887.tif 000016